(57)【要約】      （修正有）【課題】犬の糞等を一定の容器の中に取り入れる際に、紙製の簡易な容器で取り外しでき、片手で処理作業し、しかも糞などが手につかないように行う。【解決手段】塩化ビニ−ル樹脂・金属等で作られた収納箱Ａに筒状からなる中空軸Ｂ１，Ｂ２を接合して、収納箱側面に取り付けられた開閉蓋にバネ付開閉蝶番を設置し、さらに開閉蓋に引張用ピアノ線を固定して中空軸の中を車輪に沿わせて、すべり車付操作止具と結束し、すべり操作用具を後方に引く事によってバネの力で前後に動かすと、開閉蓋の開閉で糞が容器の中に取り入れられる仕組みである。【選択図】図２
0003136274.tif 000002
【実用新案登録請求の範囲】
【請求項１】
（Ｂ）筒状からなる中空軸の下部開閉蓋のついた（Ａ）収納箱を連結させる。
【請求項２】
（Ｂ）中空軸中間に折りたたむ（７）装置開閉止具と（９）被系挟着止具をつける。
【請求項３】
上部（Ｂ）中空軸の先端に（１２）握り手と開閉蓋のついた（Ａ）収納箱との連結した（３）ピアノ線により（１４）車付操作止具と連結した筒状からなる（１１）すべり操作止具をとりつける。
【請求項４】
（Ａ）収納箱の側面（１）上部開閉蓋と（Ａ）収納箱上部と（６）開閉バネ（５）操作蝶番で連結させる。
以上の如く構成された、片手式犬の糞取り機である。
【考案の詳細な説明】
【考案の詳細な説明】
【０００１】
【産業上の利用分野】
本考案は開閉蓋を取り付けた収納箱に筒状からなる中空軸を連結し開閉蓋と直結したピアノ線を出し入れできる、すべり操作用具をとりつけた片手式犬の糞取り機に関するものである。
【０００２】
【背景技術】従来この種の犬の糞取り機としては、片手で手動するものはなく、不適当であった。本案はその欠点を除くために考案されたものである。【０００３】
【本案が解決しようとする課題】
犬の糞を回収するために（Ａ）収納箱に回収する仕組（１）開閉蓋を取付け、開閉蓋の中央上部に（３）ピアノ線を止具に堅結し、（Ａ）収納箱上部に筒状からなる中空軸を取付け滑車にそはして（３）ピアノ線を（Ｂ）中空軸の内部に導入する。
【０００４】
【実施例】実施例について図面を参照して説明する。
図１〜図５において（Ａ）収納箱（Ｂ）中空軸はたとえば塩化ビニ−ル樹脂のようなプラスチックスを用い押し出し成形加工により０．３〜０．５ｍｍ程度の肉厚を有する収納箱及び筒状からなる成形によって構成されている。さらに詳しくは断面が（Ａ）収納箱の場合上部側面（１）開閉蓋及び（４）開閉底板と上部中央に（Ｂ）中空軸を設け（Ａ）収納箱に薄い紙パックを設置し糞を回収した際に取出しを容易にするため（４）開閉底板を設けている。【０００５】本考案の問題点
本考案の問題点について通常犬の散歩については道路の上或は公園等においてのマナ−糞は持ち帰り重視となるが、人影が少ない所や夜などは放置される場合がしばしばみられる。道路上に放置された糞など犬を飼っていない住宅などに御迷惑をかける事をよく聞く話である。そんな時手軽にとられたらと、効果を期待している。なお本案の手動で片手式犬の糞取り機を携帯する場合持ち運びの便もかねて、折りたたみ式にする為に（Ｂ）中空軸の中間に設けた（７）開閉止具を設置して犬の散歩に糞の持ち帰り重視の便宜を計った。外観的にもすぐれている。【０００６】構造の仕組
本案は以上のような構造の仕組であるからこれを使用するときは（Ａ）収納箱（４）開閉底板をあけて紙製のパックを中に入れて（４）開閉底板を閉じる。
（１１）すべり操作用具に取付けてある（１４）開閉操作引張止具の輪状の（１５）引張止具用フックから外し（Ａ）収納箱の上部（１）開閉蓋を解放して目的である糞に接して（Ａ）収納箱を設置し回収する仕組である。（Ｂ）中空軸の後方先端にある（１１）すべり軸を（１２）握り手止具の方に引張ると糞は回収出来る。したがって犬は手でつないたまま残った片手で糞の回収をする犬の糞取り機である。
【図面の簡単な説明】
【図１】  片手式犬の糞取り機全体平面図。
【図２】  片手式犬の糞取り機全体側面図・正面図。
【図３】  （Ａ）収納箱断面図。
【図４】  （Ａ）収納箱平面図。
【図５】  バネ付蝶番に係る要部斜視図。
【図６】  中空軸折りタタミ式を示す要部側面図。
【図７】  中空軸折りタタミ開閉止具を示す平面図。
【図８】  中空軸折りタタミ断面図。
【図９】  中空軸折りタタミ状況を示す側面図。
【図１０】  中空軸の端部すべり操作用具と握り手上部の側面図。
【図１１】  開閉蓋操作引張止具図。
【図１２】  車付操作止具側面図。
【図１３】  開閉蓋操作ピアノ線結束図。
【図１４】  車付操作止具側面図。
【符号の説明】
（Ａ）      収納箱
（Ｂ）      中空軸（Ｂ１・Ｂ２）
（１）      開閉蓋（収納箱）
（２）      開閉蓋ピアノ線止具
（３）      ピアノ線（開閉蓋操作）
（４）      開閉底板（収納箱）
（５）      保持具バネ付操作蝶番
（６）      開閉バネ（保持具バネ付蝶番）
（７）      開閉止具（中空軸折りタタミ）
（８）      開閉差込止金
（９）      被糸挟着止具（中空軸）
（１０）    中空軸固定止具（中空軸・被系挟着止具）
（１１）    すべり操作用具
（１２）    握り手
（１３）    車付止具
（１４）    開閉蓋操作引張止具
（１５）    車付操作止具
【図１】
0003136274.tif 000003
【図２】
0003136274.tif 000004
【図３】
0003136274.tif 000005
【図５】
0003136274.tif 000006
【図６】
0003136274.tif 000007
【図７】
0003136274.tif 000008
【図８】
0003136274.tif 000009
【図９】
0003136274.tif 000010
【図１０】
0003136274.tif 000011
【図１２】
0003136274.tif 000012
【図１３】
0003136274.tif 000013
【図１４】
0003136274.tif 000014
【手続補正書】
【提出日】平成19年5月16日(2007.5.16)
【手続補正１】
【補正対象書類名】実用新案登録請求の範囲
【補正対象項目名】全文
【補正方法】変更
【補正の内容】
【実用新案登録請求の範囲】
【請求項１】
犬の糞を回収するために，収納箱Ａに，回動する仕組の開閉蓋１が常時閉方向に付勢するバネ６を備えて取付けられ，上記開閉蓋１の中央部にピアノ線３の一端が竪結され，上記収納箱Ａ上部に筒状からなる中空軸Ｂの下端が取付けられ，上記ピアノ線が中空軸Ｂの内部に導入されると共にピアノ線３の他端が上記中空軸Ｂの上端部に摺動自在に設けられたすべり操作用具１３に固定されてなる犬の糞取り具。
【請求項２】
上記中空軸Ｂの中間に，上記中空軸を折りたたみ式にする為開閉止具７が設けられてなる請求項１記載の犬の糞取り具。
【手続補正２】
【補正対象書類名】明細書
【補正対象項目名】全文
【補正方法】変更
【補正の内容】
【考案の詳細な説明】
【技術分野】
【０００１】  本考案は，開閉蓋を取り付けた収納箱に，中空筒状からなる中空軸を連結し，開閉蓋と直結したピアノ線を出し入れして開閉蓋を開閉するためのすべり操作用具をとりつけた片手式犬の糞取り具に関するものである。
【背景技術】
【０００２】  本考案の問題点について，通常犬の散歩については，道路の上或は公園等においてのマナー糞は持ち帰り重視となるが、人影が少ない所や夜などは放置される場合がしばしばみられる。
【考案の開示】
【考案が解決しようとする課題】
【０００３】ところで，道路上に放置された糞など，犬を飼っていない住宅などに御迷惑をかける事をよく聞く話である。そんな時手軽にとられたらと，効果を期待している。
そこで，本考案は，上記事情に鑑みてなされたものであり，その目的とするところは，落ちている犬の糞を手軽に片手で取ることのできる犬の糞取り具を提供することである。
【課題を解決するための手段】
【０００４】上記目的を達成するために本考案は，
犬の糞を回収するために，収納箱Ａに，回動する仕組の開閉蓋１が常時閉方向に付勢するバネ６を備えて取付けられ，上記開閉蓋１の中央部にピアノ線３の一端が竪結され，上記収納箱Ａ上部に筒状からなる中空軸Ｂの下端が取付けられ，上記ピアノ線が中空軸Ｂの内部に導入されると共にピアノ線３の他端が上記中空軸Ｂの上端部に摺動自在に設けられたすべり操作用具１３に固定されてなる犬の糞取り具として構成されている。
本考案は，このように構成されているので，落ちている犬の糞を手軽に片手で取ることができる。
また，上記中空軸Ｂには，その中間に，上記中空軸を折りたたみ式にする為開閉止具７を設けることが望ましい。
これによって，上記中空軸Ｂを小さく折りたためるので，持ち運びに便利となる。
【考案の効果】
【０００５】本考案は，上記のように構成されているので，犬は手でつないだまま残った片手で糞の回収をすることが出来る犬の糞取り具を提供することが出来る。
【考案を実施するための最良の形態】
【０００６】  以下添付図面を参照しながら，本考案の実施の形態及び実施例について説明し，本考案の理解に供する。ここに，図１は，本考案の一実施の形態に係る犬の糞取り機の収納箱の平面図，図２は，糞取り機全体の側面，正面を示す図，図３は，収納箱の断面図，図４は，収納箱の平面図，図５は，開閉バネの斜視図，図６は，中空軸を折りたたむための開閉止具部分の側面図，図７は，開閉止具部分の平面図，図８は，開閉止具部分の断面図，図９は，開閉止具の詳細側面図，図１０は，すべり操作用具を備えた中空軸端部の側面図，図１１は，開閉蓋の引張止具の断面図，図１２は，すべり操作用具の側面図，図１３は，ピアノ線の結束状態を示す平面図，図１４は，すべり操作用具を収納した中空軸端部の断面図である。【０００７】本考案の一実施形態について図面を参照して説明する。
図１〜図５において収納箱Ａ及び中空軸Ｂは，たとえば塩化ビニール樹脂のようなプラスチックスを用い押し出し成形加工により０．３〜０．５ｍｍ程度の肉厚を有する収折箱及び筒状体から構成されている。さらに詳しくは，収納箱Ａの場合，開閉蓋１及び開閉底板４とを備えて構成され，その上部中央に中空軸Ｂを設けている。収納箱Ａ内には薄い紙パックを設置し，糞を回収した際に取出しを容易にする。また紙パックを容易に取り出すため開閉底板４を設けている。
犬の糞を回収するために，収納箱Ａに回動する仕組の開閉蓋１が常時閉方向に付勢するバネ６を備えて取付けられ，開閉蓋１の中央上部にピアノ線３の一端が，止具によって開閉蓋１の中央部に竪結され，収納箱Ａ上部に筒状からなる中空軸Ｂの下端を取付け，滑車に沿わして上記ピアノ線３を中空軸Ｂの内部に導入すると共に，図１０〜１４に示すようにピアノ線３の他端を中空軸Ｂ上端部に摺動自在に設けられたすべり操作用具１３に固定する。
なお本案の手動で片手式犬の糞取り具を携帯する場合，持ち運びの便もかねて、折りたたみ式にする為に図６〜９に示すように，中空軸Ｂの中間に開閉止具７を設置して，犬の散歩に糞の持ち帰り重視の便宜を計った。外観的にもすぐれている。
本案は，以上のような構造の仕組であるから，これを使用するときは，収納箱Ａの開閉底板４をあけて紙製のパックを中に入れて開閉底板４を閉じる。
図１０に示すように，すべり操作用具１３を設けた中空軸Ｂの端部に取付けてある開閉蓋引張止具１４の輪状の引張止具用フックをすべり操作用具１３の取っ手から外し収納箱Ａの開閉蓋１を解放して，目的である糞に接して収納箱Ａを設置し回収する仕組である。中空軸Ｂの後方先端にあるすべり軸１１を握り手止具１２の方に引っ張ると糞は回収出来る。したがって犬は手でつないだまま残った片手で糞の回収をすることが出来る犬の糞取り具である。
【図面の簡単な説明】
【０００８】
【図１】本考案の一実施の形態に係る犬の糞取り機の収納箱の平面図。
【図２】糞取り機全体の側面，正面を示す図。
【図３】収納箱の断面図。
【図４】収納箱の平面図。
【図５】開閉バネの斜視図。
【図６】中空軸を折りたたむための開閉止具部分の側面図。
【図７】開閉止具部分の平面図。
【図８】開閉止具部分の断面図。
【図９】開閉止具の詳細側面図。
【図１０】すべり操作用具を備えた中空軸端部の側面図。
【図１１】握り手止具の側面図。
【図１２】すべり操作用具の側面図。
【図１３】ピアノ線の結束状態を示す平面図。
【図１４】すべり操作用具を収納した中空軸端部の断面図。
【符号の説明】
【０００９】Ａ…収納箱
Ｂ…中空軸
１…開閉蓋
３…ピアノ線
４…開閉底板
７…開閉止具
１１…すべり軸
１２…握り手止具
１３…すべり操作用具
【手続補正３】
【補正対象書類名】図面
【補正対象項目名】全図
【補正方法】変更
【補正の内容】
【図１】
0003136274.tif 000015
【図２】
0003136274.tif 000016
【図３】
0003136274.tif 000017
【図４】
0003136274.tif 000018
【図５】
0003136274.tif 000019
【図６】
0003136274.tif 000020
【図７】
0003136274.tif 000021
【図８】
0003136274.tif 000022
【図９】
0003136274.tif 000023
【図１０】
0003136274.tif 000024
【図１１】
0003136274.tif 000025
【図１２】
0003136274.tif 000026
【図１３】
0003136274.tif 000027
【図１４】
0003136274.tif 000028